【手続補正書】
【提出日】平成25年4月8日(2013.4.8)
【手続補正１】
【補正対象書類名】特許請求の範囲
【補正対象項目名】全文
【補正方法】変更
【補正の内容】
【特許請求の範囲】
【請求項１】
収容壁（５８）と反射壁（６０）と少なくとも２つの端部壁（５４，５６）とを含むハウジング（１２）であって、前記収容壁（５８）、反射壁（６０）、及び端部壁（５４，５６）が入射口（６５）を有する３次元容積を画定し、前記入射口（６５）によって画定される平面に略直交する軸（Ａ）を有する前記ハウジング（１２）と；
前記ハウジング（１２）の前記収容壁（５８）に取り付けられる少なくとも１つの受光器（１６，１８，２０，２２，２４，２６）であって、前記受光器（１６，１８，２０，２２，２４，２６）の各受光器が少なくとも１つの太陽電池セル（４８）を含み、前記受光器（１６）の垂直軸（Ｄ）が前記ハウジング（１２）の前記入射口（６５）によって画定される平面に略直交する前記軸（Ａ）に対して非ゼロの角度で配置される前記受光器（１６，１８，２０，２２，２４，２６）と；
前記反射壁（６０）の上に配置される少なくとも１つのクリップ（６８）と；
前記３次元容積内に収容される少なくとも１つの光学素子（２８，３０，３２，３４，３６，３８）であって、前記クリップ（６８）を介して係合させることにより前記光学素子（２８，３０，３２，３４，３６，３８）を前記受光器（１６，１８，２０，２２，２４，２６）に位置合わせする前記光学素子（２８，３０，３２，３４，３６，３８）と；
前記入射口（６５）の上に載置されて前記ハウジング（１２）を密閉する窓（１４）と、
を備える、太陽光集光装置（１０）。
【請求項２】
前記光学素子（２８，３０，３２，３４，３６，３８）がミラーである、請求項１に記載の太陽光集光装置。
【請求項３】
前記受光器（１６，１８，２０，２２，２４，２６）は更に、前記太陽電池セル（４８）に接続されるヒートシンク（５２）を含む、請求項１に記載の太陽光集光装置。
【請求項４】
前記非ゼロの角度が、約２０〜約８０度である、請求項１に記載の太陽光集光装置。
【請求項５】
前記非ゼロの角度が約５５度である、請求項１に記載の太陽光集光装置。
【請求項６】
前記クリップ（６８）が、前記ハウジング（１２）と一体化される、請求項１に記載の太陽光集光装置。
【請求項７】
前記クリップ（６８）が、前記ハウジング（１２）に締結具を介して接続される、請求項１に記載の太陽光集光装置。
【請求項８】
前記ハウジング（１２）が更に、下側壁の上に配置される第２クリップ（６６）を有する下側壁（６２）を含み、前記第２クリップ（６６）は前記光学素子（２８，３０，３２，３４，３６，３８）に係合する、請求項１に記載の太陽光集光装置。
【請求項９】
前記下側壁（６２）が更に、前記下側壁（６２）の上に配置される第３クリップを含み、前記第３クリップは前記光学素子（２８，３０，３２，３４，３６，３８）に係合する、請求項８に記載の太陽光集光装置。
【請求項１０】
前記ハウジング（１２）は下側壁（６２）をさらに含み、
各受光器（１６，１８，２０，２２，２４，２６）が前記太陽電池セル（４８）に集光させるレンズ（５０）と、前記太陽電池セル（４８）に接続されるヒートシンク（５２）と、を含み、
前記太陽電池セル（４８）及び前記レンズ（５０）が、前記３次元容積内に配置され、
前記ヒートシンク（５２）が前記３次元容積の外部に位置し、
各光学素子（２８，３０，３２，３４，３６，３８）が、前方タブ（４４）及び後方タブ（４６）を含み、
前記太陽光集光装置が、
前記ハウジング（１２）の前記下側壁（６２）の上に配置される複数の前方クリップ（６６）であって、前記複数の前方クリップ（６６）の各前方クリップ（６６）が、前記前方タブ群（４４）のうちの関連する１つのタブに係合する、前記複数の前方クリップ（６６）と；
前記ハウジング（１２）の前記反射壁（６０）の上に配置される複数の後方クリップ（６８）であって、前記複数の後方クリップ（６８）の各後方クリップ（６８）が、前記後方タブ群（４６）のうちの関連する１つのタブに係合する、前記複数の後方クリップ（６８）と；
をさらに備える、請求項１に記載の太陽光集光装置。
【請求項１１】
光学素子（２８）を受光器（１６）に位置合わせする方法であって、前記受光器（１６）は、少なくとも１つの太陽電池セル（４８）を含み、前記方法は：
収容壁（５８）と反射壁（６０）と少なくとも２つの端部壁（５４，５６）とを含むハウジング（１２）を設ける工程であって、前記収容壁（５８）、反射壁（６０）、及び端部壁（５４，５６）が入射口（６５）を有する３次元容積を画定し、前記ハウジング（１２）が前記入射口（６５）によって画定される平面に略直交する軸（Ａ）を有する、前記設ける工程と；
少なくとも１つのクリップ（６８）を、前記ハウジング（１２）の前記反射壁（６０）の上に配置する工程と；
前記受光器を、前記ハウジング（１２）の前記収容壁（５８）に取り付ける工程であって、前記受光器（１６）の垂直軸（Ｄ）が、前記ハウジング（１２）の前記入射口（６５）によって画定される平面に略直交する前記軸（Ａ）に対して非ゼロの角度で配置される、前記取り付ける工程と；
前記光学素子（２８）を前記３次元容積内に配置して、前記光学素子（２８）を、前記クリップ（６８）を介して係合させる工程と；
窓（１４）を、前記入射口（６５）の上に配置して前記ハウジング（１２）を密閉する工程と、
を含む、方法。
【請求項１２】
前記光学素子（２８）が末端部（７０）を含み、そして前記光学素子（２８）を配置する前記工程が、前記末端部（７０）を前記クリップ（６８）に係合させる工程を含む、請求項１１に記載の方法。
【手続補正２】
【補正対象書類名】明細書
【補正対象項目名】００３１
【補正方法】変更
【補正の内容】
【００３１】
本開示による太陽光集光装置の種々の態様を示して説明してきたが、当業者であれば、本明細書を一読することにより、種々変形を想到することができる。本出願は、このような変形を含み、かつ請求項の範囲によってのみ限定される。
また、本発明は以下に記載する態様を含む。
（態様１）
収容壁（５８）と反射壁（６０）と少なくとも２つの端部壁（５４，５６）とを含むハウジング（１２）であって、前記収容壁（５８）、反射壁（６０）、及び端部壁（５４，５６）が入射口（６５）を有する３次元容積を画定し、前記ハウジング（１２）の垂直軸（Ａ）が前記入射口（６５）に略直交する前記ハウジング（１２）と；
前記ハウジング（１２）の前記収容壁（５８）に取り付けられる受光器（１６）であって、前記受光器（１６）が少なくとも１つの太陽電池セル（４８）を含み、前記受光器（１６）の垂直軸（Ｄ）が前記ハウジング（１２）の前記垂直軸（Ａ）に対して非ゼロの角度で配置される前記受光器（１６）と；
前記反射壁（６０）の上に配置される少なくとも１つのクリップ（６８）と；
前記３次元容積内に収容される光学素子（２８）であって、前記クリップ（６８）を介して係合させることにより前記光学素子（２８）を前記受光器（１６）に位置合わせする前記光学素子（２８）と；
前記入射口（６５）の上に載置されて前記ハウジング（１２）を密閉する窓（１４）と、
を備える、太陽光集光装置（１０）。
（態様２）
前記ハウジング（１２）及び前記窓（１４）が、略完全密閉容積を画定する、態様１に記載の太陽光集光装置。
（態様３）
前記光学素子（２８）がミラーである、態様１に記載の太陽光集光装置。
（態様４）
前記受光器は更に、レンズ（５０）を含み、前記レンズ（５０）は、前記太陽電池セル（４８）に集光する、態様１に記載の太陽光集光装置。
（態様５）
前記受光器（１６）は更に、前記太陽電池セル（４８）に接続されるヒートシンク（５２）を含む、態様１に記載の太陽光集光装置。
（態様６）
前記非ゼロの角度が、約２０〜約８０度である、態様１に記載の太陽光集光装置。
（態様７）
前記非ゼロの角度が約５５度である、態様１に記載の太陽光集光装置。
（態様８）
前記窓（１４）が、ガラスまたはポリマー材料により形成される、態様１に記載の太陽光集光装置。
（態様９）
前記クリップ（６８）が、前記ハウジング（１２）と一体化される、態様１に記載の太陽光集光装置。
（態様１０）
前記クリップ（６８）が、前記ハウジング（１２）に締結具を介して接続される、態様１に記載の太陽光集光装置。
（態様１１）
前記ハウジング（１２）が更に、下側壁の上に配置される第２クリップ（６６）を有する下側壁（６２）を含み、前記第２クリップ（６６）は前記光学素子（２８）に係合する、態様１に記載の太陽光集光装置。
（態様１２）
前記下側壁（６２）が更に、前記下側壁（６２）の上に配置される第３クリップを含み、前記第３クリップは前記光学素子（２８）に係合する、態様１１に記載の太陽光集光装置。
（態様１３）
収容壁（５８）と反射壁（６０）と下側壁（６２）と少なくとも２つの端部壁（５４，５６）とを含むハウジング（１２）であって、前記収容壁（５８）、反射壁（６０）、下側壁、及び端部壁（５４，５６）が入射口（６５）を有する３次元容積を画定し、前記ハウジング（１２）の垂直軸（Ａ）が前記入射口（６５）によって画定される平面に略直交する、前記ハウジング（１２）と；
前記ハウジング（１２）の前記収容壁（５８）に取り付けられる複数の受光器（１６，１８，２０，２２，２４，２６）であって、前記複数の受光器（１６，１８，２０，２２，２４，２６）の各受光器が垂直軸（Ｄ）を画定し、かつ少なくとも１つの太陽電池セル（４８）と前記太陽電池セル（４８）に集光させるレンズ（５０）と、そして前記太陽電池セル（４８）に接続されるヒートシンク（５２）と、を含み、前記太陽電池セル（４８）及び前記レンズ（５０）が、前記３次元容積内に配置され、そして前記ヒートシンク（５２）が前記３次元容積の外部に位置し、前記受光器の前記垂直軸（Ｄ）が前記ハウジング（１２）の前記垂直軸（Ａ）に対して非ゼロの角度で配置される前記複数の受光器（１６，１８，２０，２２，２４，２６）と；
前記３次元容積内に収容される複数の光学素子（２８，３０，３２，３４，３６，３８）であって、前記複数の光学素子（２８，３０，３２，３４，３６，３８）の各光学素子が、前方タブ（４４）及び後方タブ（４６）を含む、前記複数の光学素子（２８，３０，３２，３４，３６，３８）と；
前記ハウジング（１２）の前記下側壁（６２）の上に配置される複数の前方クリップ（６６）であって、前記複数の前方クリップ（６６）の各前方クリップ（６６）が、前記前方タブ群（４４）のうちの関連する１つのタブに係合する、前記複数の前方クリップ（６６）と；
前記ハウジング（１２）の前記反射壁（６０）の上に配置される複数の後方クリップ（６８）であって、前記複数の後方クリップ（６８）の各後方クリップ（６８）が、前記後方タブ群（４６）のうちの関連する１つのタブに係合する、前記複数の後方クリップ（６８）と；
前記ハウジング（１２）の前記入射口（６５）に接続されて３次元密閉容積を形成する窓（１４）と、
を備える、太陽光集光装置（１０）。
（態様１４）
前記ハウジング（１２）及び前記窓（１４）が、略完全密閉容積を画定する、態様１３に記載の太陽光集光装置。
（態様１５）
前記複数の前方クリップ（６６）及び後方クリップ（６８）が、前記複数の光学素子（２８，３０，３２，３４，３６，３８）を前記複数の受光器（１６，１８，２０，２２，２４，２６）に位置合わせするように構成される、態様１３に記載の太陽光集光装置。
（態様１６）
前記光学素子がミラーである、態様１３に記載の太陽光集光装置。
（態様１７）
前記非ゼロの角度が、約２０〜約８０度である、態様１３に記載の太陽光集光装置。
（態様１８）
前記非ゼロの角度が約５５度である、態様１３に記載の太陽光集光装置。
（態様１９）
前記窓（１４）が、ポリマー材料により形成される、態様１３に記載の太陽光集光装置。
（態様２０）
前記複数の後方クリップを細長くすることにより、前記光学素子（２８，３０，３２，３４，３６，３８）及び前記ハウジング（１２）の熱膨張率の違いを解消する、態様１３に記載の太陽光集光装置。
（態様２１）
光学素子（２８）を受光器（１６）に位置合わせする方法であって、前記受光器（１６）は、少なくとも１つの太陽電池セル（４８）を含み、前記方法は：
収容壁（５８）と反射壁（６０）と少なくとも２つの端部壁（５４，５６）とを含むハウジング（１２）を設ける工程であって、前記収容壁（５８）、反射壁（６０）、及び端部壁（５４，５６）が入射口（６５）を有する３次元容積を画定し、前記ハウジング（１２）の垂直軸（Ａ）が前記入射口（６５）に略直交する、前記設ける工程と；
少なくとも１つのクリップ（６８）を、前記ハウジング（１２）の前記反射壁（６０）の上に配置する工程と；
前記受光器を、前記ハウジング（１２）の前記収容壁（５８）に取り付ける工程であって、前記受光器（１６）の垂直軸（Ｄ）が、前記ハウジング（１２）の前記垂直軸（Ａ）に対して非ゼロの角度で配置される、前記取り付ける工程と；
前記光学素子（２８）を前記３次元容積内に配置して、前記光学素子（２８）を、前記クリップ（６８）を介して係合させる工程と；
窓（１４）を、前記入射口（６５）の上に配置して前記ハウジング（１２）を密閉する工程と、
を含む、方法。
（態様２２）
前記光学素子（２８）が末端部（７０）を含み、そして前記光学素子（２８）を配置する前記工程が、前記末端部（７０）を前記クリップ（６８）に係合させる工程を含む、態様２１に記載の方法。